(57)【要約】【課題】記録中に停電が発生し、停電復帰処理に入ったときに、停電復帰処理を強制的に停止させるためのユーザ操作が有れば、停電復帰処理を強制的に停止させ、他の動作を可能にする光ディスク記録再生装置を提供する。【解決手段】電源がオンされ、フラッシュＲＯＭに停電復帰用データが有ると判定されたときには、所定の停電復帰処理が行われる。ここで、停電復帰処理が終了していない間にトレイ開閉キーが押下されると、停電復帰処理中止要求を受けたと判定され、停電復帰選択画面が表示される。そして、停電復帰処理の中止が選択決定されると、停電復帰処理における光ディスクに対する所定単位のデータの読み出しが完了したと判定された後、停電復帰中断処理が行われる。そして、停電復帰中断処理が終了すると、トレイがオープンされる。【選択図】図５
2008123637.tif 000002
【特許請求の範囲】
【請求項１】
光ディスクに情報を記録したり、光ディスクに記録された情報を再生したりする光ディスク記録再生装置において、
電源がオンされたときに、光ディスクへの情報の記録中にフラッシュメモリに格納された停電復帰用データが有るか無いかを判定する停電復帰用データ有無判定手段と、
前記フラッシュメモリに停電復帰用データが有ると判定されたときに、所定の停電復帰処理を行う停電復帰処理手段と、
前記停電復帰処理が終了していない間にトレイ開閉キーが押下されて停電復帰処理中止要求を受けたか否かを判定する停電復帰処理中止要求判定手段と、
前記停電復帰処理中止要求を受けたと判定されたときに、停電復帰選択画面をディスプレイ装置に表示させる停電復帰選択画面表示処理手段と、
前記停電復帰選択画面にて停電復帰処理の中止が選択されたときに、停電復帰処理における光ディスクに対する所定単位のデータの読み出しが完了したと判定した後に停電復帰中断処理を行う停電復帰中断処理手段と、
前記停電復帰中断処理が終了したか否かを判定する停電復帰中断処理終了判定手段と、
前記停電復帰中断処理が終了したと判定されたときに、トレイをオープンさせるトレイ制御手段とを有し、
前記停電復帰中断処理が終了後に通常にユーザ操作を受け付けて、ユーザ操作に対応した処理を実行させることを可能にするシステムコントローラを備えたことを特徴とする光ディスク記録再生装置。
【請求項２】
光ディスクに情報を記録したり、光ディスクに記録された情報を再生したりする光ディスク記録再生装置において、
停電で電源がオフされ、再び電源がオンされて、停電復帰処理を行っている際中に、特定のキー操作を受けると、前記停電復帰処理を中断させる停電復帰中断処理を行い、前記停電復帰中断処理が終了後に通常にユーザ操作を受け付けて、ユーザ操作に対応した処理を実行させることを可能にするシステムコントローラを備えたことを特徴とする光ディスク記録再生装置。
【請求項３】
前記システムコントローラは、電源がオンされたときに、光ディスクへの情報の記録中にフラッシュメモリに格納された停電復帰用データが有るか無いかを判定する停電復帰用データ有無判定手段と、前記フラッシュメモリに停電復帰用データが有ると判定されたときに、所定の停電復帰処理を行う停電復帰処理手段と、前記停電復帰処理が終了していない間に特定キーが操作されて停電復帰処理中止要求を受けたか否かを判定する停電復帰処理中止要求判定手段と、前記停電復帰処理中止要求を受けたと判定されたときに、停電復帰選択画面をディスプレイ装置に表示させる停電復帰選択画面表示処理手段と、前記停電復帰選択画面にて停電復帰処理の中止が選択されたときに、停電復帰処理における光ディスクに対する所定単位のデータの読み出しが完了したと判定した後に停電復帰中断処理を行う停電復帰中断処理手段と、前記停電復帰中断処理が終了したか否かを判定する停電復帰中断処理終了判定手段とを有することを特徴とする請求項２に記載の光ディスク記録再生装置。
【請求項４】
前記特定のキー操作とは、トレイ開閉キーの押下であることを特徴とする請求項２または請求項３に記載の光ディスク記録再生装置。
【請求項５】
前記システムコントローラは、前記停電復帰中断処理が終了したと判定されたときに、トレイをオープンさせるトレイ制御手段を備えたことを特徴とする請求項３に記載の光ディスク記録再生装置。
【発明の詳細な説明】
【技術分野】
【０００１】
本発明は、光ディスクに対して情報の記録／再生を行う光ディスク記録再生装置に関し、特に、記録中に停電が発生した場合、停電復帰処理を中断することができる機能を有する光ディスク記録再生装置に関する。
【背景技術】
【０００２】
近年、映画等のような大量の映像音声データなどの情報を記録することができる光ディスクであるＤＶＤ（デジタル・バーサタイル・ディスク）が普及している。ＤＶＤの種類としては、メーカ側で情報が記録され、ユーザ側では書き換えができないＤＶＤ−ＲＯＭ、ユーザ側で情報を１回だけ記録できるＤＶＤ−ＲやＤＶＤ＋Ｒ、ユーザ側で何回か書き換え可能なＤＶＤ−ＲＷやＤＶＤ＋ＲＷあるいはＤＶＤ−ＲＡＭなどが知られている。これらのＤＶＤに記録された情報は、光ディスク再生装置（ＤＶＤプレイヤ）または光ディスク記録再生装置（ＤＶＤレコーダ）で再生可能であり、ＤＶＤ−Ｒ、ＤＶＤ＋Ｒ、ＤＶＤ−ＲＷ、ＤＶＤ＋ＲＷ、およびＤＶＤ−ＲＡＭへの情報の記録は、光ディスク記録再生装置（ＤＶＤレコーダ）で記録可能である。
【０００３】
光ディスク記録再生装置では、ＤＶＤ−Ｒ、ＤＶＤ−ＲＷのような−系のＤＶＤや、ＤＶＤ＋Ｒ、ＤＶＤ＋ＲＷのような＋系のＤＶＤにデータを記録する場合に、データの記録中に記録エラーが発生すると、書き込みできないアドレスに対して所定回数リトライして、所定回数リトライしても書き込みできない時に、そのアドレスを飛ばして次のアドレスにデータを記録するようにしている。また、再生時には、前記記録エラーが発生したアドレスに対して所定回数リトライして、所定回数リトライしても読み出せない時に、そのアドレスを飛ばして次のアドレスからデータを読み出すようにしている。
【特許文献１】特開２００６−１３４１４２号公報
【発明の開示】
【発明が解決しようとする課題】
【０００４】
ところで、光ディスク記録再生装置において光ディスクに情報を記録中に、停電などにより装置の電源が突然遮断した場合、装置の動作は急に停止する。そして、この後、装置の電源が再び投入されると、光ディスク記録再生装置は停電復帰処理に入る。しかしながら、従来の光ディスク記録再生装置では、一度停電復帰処理に入ると、停電復帰処理が正常に終了するまで、通常状態に戻せるようにすることが処理上できなかったので、ユーザが所望の操作を行いたい場合、停電復帰処理が終了するまで、待たなければならないという課題があった。
【０００５】
例えば、或るテレビ番組を光ディスクに２時間や５時間あるいは１０時間記録している際中に、停電が発生して、装置が停止し、その後、再度電源を投入して、停電復帰処理を行うと、この停電復帰処理の時間が、２時間や５時間あるいは１０時間というように記録時間と同じだけかかり、この間、ユーザは、所望の操作を行うことができなくなる。なお、停電復帰処理に入った後、普通に電源キーの操作により電源をオフしたり、装置のＡＣプラグをＡＣコンセントから抜いて電源をオフしたりして、この後、電源を電源キーの操作によりオンしても、再度停電復帰処理に入るように構成されているので、上記課題を解決できる訳ではない。
【０００６】
要するに、従来の光ディスク記録再生装置では、記録中に停電が発生した場合、停電復帰処理を行って、停電発生時までの記録内容を生かすが、この停電復帰処理は、前述したように長時間かかることがあるので、停電復帰処理に入ると、他の動作ができず、例えば、記録も再生もできない状態が続き、ユーザにとっては、停電復帰処理が終了するまでの待機時間が無駄になり、使い勝手が劣るという課題があった。
【０００７】
なお、特許文献１の従来技術では、停電などにより電力供給されなくなったことを検知し、電力供給されなくなったときに、自動終了処理を行ってから電源を遮断するために、自動終了処理を行うのに必要な電力をバックアップ電源装置より供給して、自動終了処理を行うようにしているが、バックアップ電源装置に含まれる二次電池が十分充電されていなかった場合には、自動終了処理を完全に行えない可能性があり、また、二次電池が劣化していて電荷を蓄える能力が無くなっている場合には、自動終了処理を行うことができないので、このような場合には、電源が復帰後に、前述したような停電復帰処理を行う必要があり、停電復帰処理の間は他の動作ができず、ユーザにとっては、停電復帰処理が終了するまでの待機時間が無駄になり、使い勝手が劣るという課題が生じる。また、例えば、光ディスク記録再生装置にバックアップ電源装置を備えた場合、光ディスク記録再生装置は、コストアップを招き、また、バックアップ電源装置が設けられるスペースも余分に必要となるので、筐体の形状が大きくなる傾向があるという課題も生じる。
【０００８】
本発明は、上記のような課題を解決するためになされたもので、記録中に停電が発生し、停電復帰処理に入ったときに、停電復帰処理を強制的に停止させるためのユーザ操作が有れば、停電復帰処理を強制的に停止させ、他の動作を可能にする光ディスク記録再生装置を提供することを目的とする。
【課題を解決するための手段】
【０００９】
上記目的を達成するために、請求項１の発明は、電源がオンされたときに、光ディスクへの情報の記録中にフラッシュメモリに格納された停電復帰用データが有るか無いかを判定する停電復帰用データ有無判定手段と、前記フラッシュメモリに停電復帰用データが有ると判定されたときに、所定の停電復帰処理を行う停電復帰処理手段と、前記停電復帰処理が終了していない間にトレイ開閉キーが押下されて停電復帰処理中止要求を受けたか否かを判定する停電復帰処理中止要求判定手段と、前記停電復帰処理中止要求を受けたと判定されたときに、停電復帰選択画面をディスプレイ装置に表示させる停電復帰選択画面表示処理手段と、前記停電復帰選択画面にて停電復帰処理の中止が選択されたときに、停電復帰処理における光ディスクに対する所定単位のデータの読み出しが完了したと判定した後に停電復帰中断処理を行う停電復帰中断処理手段と、前記停電復帰中断処理が終了したか否かを判定する停電復帰中断処理終了判定手段と、前記停電復帰中断処理が終了したと判定されたときに、トレイをオープンさせるトレイ制御手段とを有し、前記停電復帰中断処理が終了後に通常にユーザ操作を受け付けて、ユーザ操作に対応した処理を実行させることを可能にするシステムコントローラを備えたことを特徴とする光ディスク記録再生装置を提供する。
【００１０】
この構成において、先ず、電源がオンされると、復帰用データ有無判定手段は、フラッシュメモリをアクセスし、フラッシュメモリに停電復帰用データが有るか無いかを判定する。フラッシュメモリに停電復帰用データが有ると判定されたときには、停電復帰処理手段は、所定の停電復帰処理を行う。
【００１１】
ここで、停電復帰処理が終了していない間に、停電復帰処理中止要求判定手段は、トレイ開閉キーが押下されたことを検知し、停電復帰処理中止要求を受けたと判定したときに、停電復帰選択画面表示処理手段は、ディスプレイ装置に停電復帰選択画面を表示させる。そして、停電復帰選択画面にて停電復帰処理の中止が選択決定されたとすると、停電復帰中断処理手段は、停電復帰処理における光ディスクに対する所定単位のデータの読み出しが完了したと判定した後、停電復帰中断処理を行う。そして、停電復帰中断処理終了判定手段は、停電復帰中断処理が終了したことを検知すると、トレイ制御手段はトレイをオープンさせる。
【００１２】
以上により、本処理が終了するが、この光ディスク記録再生装置は、停電復帰中断処理が終了後に通常にユーザ操作を受け付けて、ユーザ操作に対応した処理を実行させることを可能にする。なお、トレイ開閉キーの押下により、停電復帰処理の中止を要求することができるので、停電復帰処理中止要求の操作が分かり易くなる。また、トレイがオープンされることにより、停電復帰中断処理が終了したことがユーザに分かり、また、光ディスクを取り出すこともできる。
【００１３】
この構成によれば、記録中に停電が発生し、停電復帰処理に入ったときに、停電復帰処理を強制的に停止させるためのユーザ操作が有れば、停電復帰処理を強制的に停止させ、他の動作を可能にするので、ユーザが所望の操作を行いたい場合、停電復帰処理が終了するまで待つ必要がなくなり、ユーザにとっては、使い勝手が良くなる。
【００１４】
請求項２の発明は、停電で電源がオフされ、再び電源がオンされて、停電復帰処理を行っている際中に、特定のキー操作を受けると、前記停電復帰処理を中断させる停電復帰中断処理を行い、前記停電復帰中断処理が終了後に通常にユーザ操作を受け付けて、ユーザ操作に対応した処理を実行させることを可能にするシステムコントローラを備えたことを特徴とする光ディスク記録再生装置を提供する。
【００１５】
この構成において、停電で電源がオフされ、再び電源がオンされて、停電復帰処理が行われている際中に、特定のキー操作を受けると、停電復帰中断処理が行われ、停電復帰中断処理が終了後に、通常にユーザ操作を受け付けると、ユーザ操作に対応した処理を実行させることが可能になる。
【００１６】
この構成によれば、記録中に停電が発生し、停電復帰処理に入ったときに、停電復帰処理を強制的に停止させるためのユーザ操作が有れば、停電復帰処理を強制的に停止させ、他の動作を可能にするので、ユーザが所望の操作を行いたい場合、停電復帰処理が終了するまで待つ必要がなくなり、ユーザにとっては、使い勝手が良くなる。
【００１７】
請求項３の発明では、請求項２の発明において、前記システムコントローラは、電源がオンされたときに、光ディスクへの情報の記録中にフラッシュメモリに格納された停電復帰用データが有るか無いかを判定する停電復帰用データ有無判定手段と、前記フラッシュメモリに停電復帰用データが有ると判定されたときに、所定の停電復帰処理を行う停電復帰処理手段と、前記停電復帰処理が終了していない間に特定キーが操作されて停電復帰処理中止要求を受けたか否かを判定する停電復帰処理中止要求判定手段と、前記停電復帰処理中止要求を受けたと判定されたときに、停電復帰選択画面をディスプレイ装置に表示させる停電復帰選択画面表示処理手段と、前記停電復帰選択画面にて停電復帰処理の中止が選択されたときに、停電復帰処理における光ディスクに対する所定単位のデータの読み出しが完了したと判定した後に停電復帰中断処理を行う停電復帰中断処理手段と、前記停電復帰中断処理が終了したか否かを判定する停電復帰中断処理終了判定手段とを有することを特徴とする。
【００１８】
したがって、前記システムコントローラは、停電復帰用データ有無判定処理、停電復帰処理、停電復帰処理中止要求判定処理、停電復帰選択画面表示処理、停電復帰中断処理、および停電復帰中断処理終了判定処理を実現でき、これにより、記録中に停電が発生し、停電復帰処理に入ったときに、停電復帰処理を強制的に停止させるためのユーザ操作が有れば、停電復帰処理を強制的に停止させ、他の動作を可能にする。
【００１９】
請求項４の発明では、請求項３の発明において、前記特定のキー操作とは、トレイ開閉キーの押下であるので、特定キーを新たに設ける必要がなく、トレイ開閉キーの押下により、停電復帰処理の中止を要求することができ、これにより、停電復帰処理中止要求の操作が分かり易くなる。
【００２０】
請求項５の発明では、請求項３の発明において、前記システムコントローラは、前記停電復帰中断処理が終了したと判定されたときに、トレイをオープンさせるトレイ制御手段を備えたので、トレイがオープンされることにより、停電復帰中断処理が終了したことがユーザに分かり、また、光ディスクを取り出すこともできる。
【発明の効果】
【００２１】
以上のように本発明によれば、記録中に停電が発生し、停電復帰処理に入ったときに、停電復帰処理を強制的に停止させるためのユーザ操作が有れば、停電復帰処理を強制的に停止させ、他の動作を可能にするので、ユーザが所望の操作を行いたい場合、停電復帰処理が終了するまで待つ必要がなくなり、ユーザにとっては、使い勝手が良くなる。また、バックアップ電源装置を備える必要がないので、コストアップすることがなく、また、バックアップ電源装置の筐体もコンパクトに構成することもできる。
【発明を実施するための最良の形態】
【００２２】
以下、添付図面を参照しつつ、本発明の実施の形態について説明する。図１は本発明の一実施形態に係る光ディスク記録再生装置としてのＤＶＤレコーダの構成を示すブロック図である。
【００２３】
図１において、このＤＶＤレコーダは、装置全体を制御するシステムコントローラ２２と、光ディスク１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じて、モータ駆動回路３４を通じてスピンドルモータ５、およびスレッド３を駆動すると共に、光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００２４】
また、このＤＶＤレコーダは、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２５】
また、このＤＶＤレコーダは、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオＭＰＥＧデコーダ１５と、このビデオＭＰＥＧデコーダ１５でのデコード処理を行うためにデータを一時的に格納するＲＡＭ１４とを備えている。
【００２６】
また、このＤＶＤレコーダは、システムコントローラ２２の指示に応じてビデオＭＰＥＧデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００２７】
また、このＤＶＤレコーダは、システムコントローラ２２に対して、録画指示を与えるための録画キー、再生指示を与えるための再生キー、録画や再生の停止指示を与えるための停止キーなど、各種操作キーを有するリモコン２１と、このリモコン２１の操作キーよりも少ない操作キーを有する本体操作部３６とを備えている。
【００２８】
また、このＤＶＤレコーダは、装置の各構成要素を制御したり、装置全体を制御したりするためのプログラムやデータあるいは取扱説明書のデータが記憶されたフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７と、フラッシュＲＯＭ２３に記憶されている停電復帰選択画面データが読み出されてディスプレイ装置２０に停電復帰選択画面を表示させる際に停電復帰選択画面データなどをＯＳＤ（オンスクリーンディスプレイ）処理するＯＳＤ回路３５とを備えている。
【００２９】
また、このＤＶＤレコーダは、アンテナ２８に接続されるチューナ２９と、このチューナ２９で選局されたテレビジョン放送のアナログの映像音声信号、あるいは図示しないテレビジョン受信機や他の映像音声出力機器からの映像音声信号をデジタルの映像音声データに変換するＡ／Ｄ変換回路３０と、前記映像音声データをＭＰＥＧでエンコードするＭＰＥＧエンコーダ３１と、前記エンコードした映像音声データ（以下エンコードデータと言う）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００３０】
システムコントローラ２２は、本実施形態の特徴とする構成要素として、電源がオンされたときに、光ディスク１への情報の記録中にフラッシュＲＯＭ２３に格納された停電復帰用データが有るか無いかを判定する停電復帰用データ有無判定手段と、フラッシュＲＯＭ２３に停電復帰用データが有ると判定されたときに、所定の停電復帰処理を行う停電復帰処理手段と、前記停電復帰処理が終了していない間にトレイ開閉キー３６８（図２参照）が押下されて停電復帰処理中止要求を受けたか否かを判定する停電復帰処理中止要求判定手段と、前記停電復帰処理中止要求を受けたと判定されたときに、停電復帰選択画面をディスプレイ装置２０に表示させる停電復帰選択画面表示処理手段と、前記停電復帰選択画面にて停電復帰処理の中止が選択されたときに、停電復帰処理における光ディスク１に対する所定単位のデータの読み出しが完了したと判定した後に停電復帰中断処理を行う停電復帰中断処理手段と、前記停電復帰中断処理が終了したか否かを判定する停電復帰中断処理終了判定手段と、前記停電復帰中断処理が終了したと判定されたときに、トレイ３６７をオープンさせるトレイ制御手段とを有する。
【００３１】
図２は本実施形態のＤＶＤレコーダにおける本体操作部の前面操作パネルの一例を示す構成図である。図２において、前面操作パネル３６０は、表示部３６１と操作部３６２から成り、表示部３６１には、電源がオフされている時は、例えば、赤色を発光し、電源がオンされている時は、例えば、緑色を発光する電源状態表示用発光ダイオード３６３、時刻などを表示させる第１表示部３６４、選局チャンネルなどを表示させる第２表示部３６５が設けられている。操作部３６２には、装置の電源をオンさせたり、オフさせたりするための電源キー３６６、ＤＶＤなどを装置から引き出したり引き込めたりするためのトレイ３６７、トレイ３６７を開閉させるためのトレイ開閉キー（ＥＪＥＣＴキー）３６８、記録動作を行わせるための記録キー３６９、再生動作を行わせるための再生キー３７０、および記録動作や再生動作などを停止させるための停止キー３７１等が設けられている。なお、この前面操作パネル３６０における各構成要素の配置や個数は、一例であるので、これに限ることはない。
【００３２】
図３は本実施形態においてＤＶＤビデオの光ディスクに記録されているデータ構造を示す図である。図３において、ビデオ・オブジェクト・セット（ＶＯＢＳ）は、複数のビデオ・オブジェクト（ＶＯＢ）、即ち、（ＶＯＢ＿ＩＮＤ１），（ＶＯＢ＿ＩＮＤ２），・・・，（ＶＯＢ＿ＩＮＤｉ）から構成される。前記ＩＮＤ１，ＩＮＤ２，・・・，ＩＮＤｉは、識別番号を示す。そして、各ビデオ・オブジェクト（ＶＯＢ）は、複数のセル（Ｃｅｌｌ）から構成されている。例えば、ビデオ・オブジェクト（ＶＯＢ＿ＩＮＤ１）は、複数のセル（Ｃ＿ＩＤＮ１），（Ｃ＿ＩＤＮ２），・・・，（Ｃ＿ＩＤＮｊ）から構成される。なお、前記ＩＤＮ１，ＩＤＮ２，・・・，ＩＤＮｊは、識別番号を示す。
【００３３】
例えば、セル（Ｃ＿ＩＤＮ１）は、複数のビデオ・オブジェクト・ユニット（ＶＯＢＵ）から構成される。各ビデオ・オブジェクト・ユニット（ＶＯＢＵ）は、ナビゲーションパック（ＮＶ＿ＰＣＫ）、オーディオパック（Ａ＿ＰＣＫ）、ビデオパック（Ｖ＿ＰＣＫ）、およびサブピクチャパック（ＳＰ＿ＰＣＫ）を含み構成される。
【００３４】
前記ナビゲーションパック（ＮＶ＿ＰＣＫ）および前記オーディオパック（Ａ＿ＰＣＫ）は、例えば２０４８バイトで構成され、例えば１４バイトのパックヘッダー（Ｐａｃｋ  ｈｅａｄｅｒ）、２４バイトのシステムヘッダー（Ｓｙｓｔｅｍ  Ｈｅａｄｅｒ）、６バイトのパケットヘッダー（Ｐａｃｋｅｔ  ｈｅａｄｅｒ）、１バイトのサブストリーム識別子（Ｓｕｂ＿ｓｔｒｅａｍ＿ｉｄ）、９７９バイトのプレイコントロール情報データ（ＰＣＩ  ｄａｔａ）、６バイトのパケットヘッダー（Ｐａｃｋｅｔ  ｈｅａｄｅｒ）、１バイトのサブストリーム識別子（Ｓｕｂ＿ｓｔｒｅａｍ＿ｉｄ）、および１０１７バイトのデータサーチ情報データ（ＤＳＩ  ｄａｔａ）から構成される。
【００３５】
６バイトのパケットヘッダー（Ｐａｃｋｅｔ  ｈｅａｄｅｒ）と１バイトのサブストリーム識別子（Ｓｕｂ＿ｓｔｒｅａｍ＿ｉｄ）と９７９バイトのプレイコントロール情報データ（ＰＣＩ  ｄａｔａ）とにより、プレイコントロール・パケット（ＰＣＩ＿ＰＫＴ）を構成する。６バイトのパケットヘッダー（Ｐａｃｋｅｔ  ｈｅａｄｅｒ）と１バイトのサブストリーム識別子（Ｓｕｂ＿ｓｔｒｅａｍ＿ｉｄ）と１０１７バイトのデータサーチ情報データ（ＤＳＩ  ｄａｔａ）とにより、データサーチ情報パケット（ＤＳＩ＿ＰＫＴ）を構成する。
【００３６】
図４は本実施形態においてディスプレイ装置に表示される停電復帰選択画面の内容を説明するための図である。この停電復帰選択画面には、停電復帰処理を中断してトレイオープンしますか  「はい」  「いいえ」  ただし停電復帰処理を中断した場合はディスクの記録データの復帰は保障できません。というメッセージが表示されている。したがって、リモコン２１を操作して、「はい」を選択して決定すると、停電復帰処理が中断されることになる。
【００３７】
図５は、本実施形態において光ディスク記録再生装置が記録動作中に停電が発生して停止した後、再び電源をオンしてから停電復帰中断処理を実行させるまでの処理を説明するためのフローチャートである。このフローチャートおよび図１〜図４を参照して、光ディスク記録再生装置が記録動作中に停電が発生して停止した後、再び電源をオンしてから停電復帰中断処理を実行させるまでの処理について説明する。
【００３８】
先ず、ユーザによるリモコン２１の電源キー（図示せず）の操作または本体操作部３６の電源キー３６３の操作によって装置の電源がオンされると（ステップＳ１）、システムコントローラ２２の停電復帰用データ有無判定手段は、フラッシュＲＯＭ２３をアクセスし、フラッシュＲＯＭ２３に停電復帰用データが有るか無いかを判定する（ステップＳ２）。即ち、フラッシュＲＯＭ２３には、記録可能な光ディスク１に対して情報の記録が行われているとき、一定時間毎に光ディスク１の領域のどこまで記録されたかを示すアドレス情報および記録時間情報のデータが書き込まれるので、詳しくは、データが記録された記録済みセクタ（データが記録されたセクタ）のアドレス情報と、記録済みセクタまでの記録時間を示す記録時間情報とが、書き込まれていくので、停電で記録が中断すると、それらの情報が停電復帰用のデータとしてフラッシュＲＯＭ２３に残ることになる。したがって、停電復帰用データ有無判定手段は、フラッシュＲＯＭ２３をアクセスし、フラッシュＲＯＭ２３に停電復帰用データが有るか無いかを判定することにより、前回の電源オフが停電によるものであるか、通常の電源オフによるものであるかが分かる。
【００３９】
停電復帰用データ有無判定手段により、フラッシュＲＯＭ２３に停電復帰用データが無いと判定されたときは、今回電源をオンする前に停電により電源がオフされた訳ではないので、停電復帰処理を行う必要がない。一方、フラッシュＲＯＭ２３に停電復帰用データが有ると判定されたときには、システムコントローラ２２の停電復帰処理手段は、所定の停電復帰処理を行う（ステップＳ３）。
【００４０】
所定の停電復帰処理とは、フラッシュＲＯＭ２３に格納されたアドレス情報と記録時間情報とに基づいて、光ディスク１から単位毎の記録情報（ＤＶＤビデオ規格の場合は図３で説明したＶＯＢＵ）を読み出して、ＲＡＭ２７に一時的に格納し、単位毎の記録情報（ＶＯＢＵ）が、ディスク規格上に適合した完全な情報（ＶＯＢＵ）であるかの確認を行い、不完全な情報（ＶＯＢＵ）が読み出されたときは、その時点で、停電が発生して記録が中断したことになるので、その不完全な情報（ＶＯＢＵ）の前の完全な情報（ＶＯＢＵ）で記録が終了したとして、制御情報も含むディスク管理情報を光ディスク１に書き込む処理のことを言う。このような停電復帰処理を行うことにより、光ディスク１への情報の記録が停電により中断しても、停電前までの記録情報を再生させることが可能になる。
【００４１】
ここで、停電復帰処理が終了していない間に（ステップＳ４）、ユーザが本体操作部３６のトレイ開閉キー３６８を押下すると、システムコントローラ２２の停電復帰処理中止要求判定手段は、トレイ開閉キー３６８が押下されたことを検知し（ステップＳ５）、停電復帰処理中止要求を受けたと判定したときに（ステップＳ６）、停電復帰選択画面表示処理手段は、フラッシュＲＯＭ２３から停電復帰選択画面データを読み出し、ＯＳＤ回路３５でＯＳＤ処理し、更にビデオエンコーダ１８で映像信号としてディスプレイ装置２０に供給し、ディスプレイ装置２０に停電復帰選択画面（図４参照）を表示させる（ステップＳ７）。
【００４２】
そして、ユーザは、リモコン２１を操作して停電復帰選択画面上の「はい」を選択して決定すると、システムコントローラ２２の停電復帰中断処理手段は、停電復帰選択画面にて停電復帰処理の中止が選択されたと判定し（ステップＳ８）、停電復帰処理における光ディスク１に対する所定単位のデータ（当該ＶＯＢＵ）の読み出しが完了したと判定した（ステップＳ９）後、停電復帰中断処理を行う（ステップＳ１０）。なお、停電復帰中断処理が行われると、現在復帰中の情報（番組など）の復帰を諦める替わりに、通常状態に強制的に復帰させることになる。
【００４３】
そして、システムコントローラ２２の停電復帰中断処理終了判定手段は、停電復帰中断処理が終了したことを検知すると（ステップＳ１１）、システムコントローラ２２のトレイ制御手段は、図示しないトレイ駆動機構を駆動させ、トレイ３６７をオープンさせる（ステップＳ１２）。以上の処理により、本処理が終了するが、この光ディスク記録再生装置は、停電復帰中断処理が終了後に通常にユーザ操作を受け付けて、ユーザ操作に対応した処理を実行させることを可能にする。
【００４４】
以上説明したように本実施形態によれば、記録中に停電が発生し、停電復帰処理に入ったときに、停電復帰処理を強制的に停止させるためのユーザ操作が有れば、停電復帰処理を強制的に停止させ、他の動作を可能にするので、ユーザが所望の操作を行いたい場合、停電復帰処理が終了するまで待つ必要がなくなり、ユーザにとっては、使い勝手が良くなる。
【産業上の利用可能性】
【００４５】
本発明は、ＤＶＤレコーダに利用可能であり、ＤＶＤレコーダの停電復帰処理をユーザ操作により中断させることを可能にする。
【図面の簡単な説明】
【００４６】
【図１】本発明の一実施形態に係る光ディスク記録再生装置としてのＤＶＤレコーダの構成を示すブロック図である。
【図２】前記実施形態のＤＶＤレコーダにおける本体操作部の前面操作パネルの一例を示す構成図である。
【図３】前記実施形態においてＤＶＤビデオの光ディスクに記録されているデータ構造を示す図である。
【図４】前記実施形態においてディスプレイ装置に表示される停電復帰選択画面の内容を説明するための図である。
【図５】前記実施形態において光ディスク記録再生装置が記録動作中に停電が発生して停止した後、再び電源をオンしてから停電復帰中断処理を実行させるまでの処理を説明するためのフローチャートである。
【符号の説明】
【００４７】
１    光ディスク
２０    ディスプレイ装置
２２    システムコントローラ（停電復帰用データ有無判定手段、停電復帰処理手段、停電復帰処理中止要求判定手段、停電復帰選択画面表示処理手段、停電復帰中断処理手段、停電復帰中断処理終了判定手段、トレイ制御手段）
３６７    トレイ
３６８    トレイ開閉キー
【図１】
2008123637.tif 000003
【図２】
2008123637.tif 000004
【図３】
2008123637.tif 000005
【図４】
2008123637.tif 000006
【図５】
2008123637.tif 000007